(57)【要約】【課題】ＷＬＡＮを用いてデジタル放送データを提供するデジタル放送データ提供装置及び方法を提供する。【解決手段】多チャネルのデジタル放送データを受信し、デモジュレーション及びデコーディングして出力するデジタル放送処理部と、前記デジタル放送処理部からのデモジュレーションされたデジタル放送データを受信し、ＷＬＡＮを介して伝送可能な形態に変換して出力するトランスコーダ部と、前記トランスコーダ部で変換されたデジタル放送データを、ＷＬＡＮで連結した無線端末装置に伝送するＷＬＡＮ処理部と、を備える構成とする。この場合、多チャネル放送受信機で受信したデジタル放送データを無線端末機を介して受信及び出力することによって、ユーザが便利にデジタル放送を視聴できるという効果がある。【選択図】図１
2006135987.tif 000002
【特許請求の範囲】
【請求項１】
多チャネルのデジタル放送データを受信し、デモジュレーション及びデコーディングして出力するデジタル放送処理部と、
前記デジタル放送処理部からのデモジュレーションされたデジタル放送データを受信し、ＷＬＡＮを介して伝送可能な形態に変換して出力するトランスコーダ部と、
前記トランスコーダ部で変換されたデジタル放送データを、ＷＬＡＮで連結した無線端末装置に伝送するＷＬＡＮ処理部と、を備えることを特徴とするデジタル放送データ提供装置。
【請求項２】
前記トランスコーダ部は、前記デモジュレーションされたデジタル放送データを圧縮して帯域幅を低減させることを特徴とする請求項１に記載のデジタル放送データ提供装置。
【請求項３】
前記トランスコーダ部は、前記デモジュレーションされたデジタル放送データの帯域幅を、前記無線端末装置を連結するＷＬＡＮの伝送帯域幅以下に圧縮することを特徴とする請求項２に記載のデジタル放送データ提供装置。
【請求項４】
前記デジタル放送処理部は、多チャネルのデジタル放送データを受信するための、少なくとも１つ以上のチューナー及び復調部を備えることを特徴とする請求項１に記載のデジタル放送データ提供装置。
【請求項５】
前記トランスコーダ部は、前記デモジュレーションされたデジタル放送データの帯域幅を、前記無線端末装置を連結するＷＬＡＮの伝送帯域幅を前記デジタル放送処理部で受信可能なチャネル数で除した値以下に圧縮することを特徴とする請求項４に記載のデジタル放送データ提供装置。
【請求項６】
前記デジタル放送処理部は、前記無線端末装置からのプログラム情報要求に応答して、予め格納されたプログラム情報を前記無線端末装置で表示可能な形態に再構成し、前記再構成したプログラム情報を前記ＷＬＡＮ処理部に伝送することを特徴とする請求項１に記載のデジタル放送データ提供装置。
【請求項７】
前記無線端末装置は、個人携帯情報端末機（ＰＤＡ）であることを特徴とする請求項１ないし６のいずれか一つに記載のデジタル放送データ提供装置。
【請求項８】
ユーザの要求に応答し、ＷＬＡＮを介して多チャネルのデジタル放送データを受信する多チャネル放送受信機に連結した後、前記多チャネル放送受信機にデジタル放送データを要求し、前記多チャネル放送受信機から前記デジタル放送データを受信するＷＬＡＮ処理部と、
前記ＷＬＡＮ処理部を介して受信したデジタル放送データを、デモジュレーション及びデコーディングして出力するデジタル放送処理部と、を備えることを特徴とする無線端末装置。
【請求項９】
前記無線端末装置は、個人携帯情報端末機（ＰＤＡ）であることを特徴とする請求項８に記載の無線端末装置。
【請求項１０】
多チャネル放送受信機を介して受信したデジタル放送データを無線端末装置に提供するデジタル放送データ提供方法において、
ＷＬＡＮを介して前記多チャネル放送受信機に連結された前記無線端末装置の要求に応答して、前記多チャネル放送受信機が前記無線端末装置との間にＷＬＡＮを用いたセッションを確立するステップと、
前記無線端末装置からのデジタル放送データ要求に応答して、前記多チャネル放送受信機が受信したデジタル放送データをＷＬＡＮを介して伝送可能な形態に変換するステップと、
前記変換されたデジタル放送データを、ＷＬＡＮを介して前記無線端末装置に伝送するステップと、を備えることを特徴とするデジタル放送データ提供方法。
【請求項１１】
前記デジタル放送データを変換するステップは、前記多チャネル放送受信機が、受信したデジタル放送データを圧縮して帯域幅を低減することを特徴とする請求項１０に記載のデジタル放送データ提供方法。
【請求項１２】
前記デジタル放送データを変換するステップは、前記多チャネル放送受信機が、受信したデジタル放送データの帯域幅を前記ＷＬＡＮの伝送帯域幅以下に圧縮することを特徴とする請求項１１に記載のデジタル放送データ提供方法。
【請求項１３】
前記デジタル放送データを変換するステップは、前記多チャネル放送受信機が、受信したデジタル放送データの帯域幅を、前記ＷＬＡＮの伝送帯域幅を前記デジタル放送処理部で受信可能なチャネル数で除した値以下に圧縮することを特徴とする請求項１１に記載のデジタル放送データ提供方法。
【請求項１４】
前記無線端末装置のプログラム情報要求に応答して、前記多チャネル放送受信機が予め格納したプログラム情報を前記無線端末装置で表示可能な形態に再構成するステップと、
前記再構成されたプログラム情報を、ＷＬＡＮを介して前記無線端末装置に伝送するステップと、をさらに備えることを特徴とする請求項１０に記載のデジタル放送データ提供方法。
【請求項１５】
前記再構成したプログラム情報を伝送するための別途のチャネルを生成するステップをさらに備えることを特徴とする請求項１４に記載のデジタル放送データ提供方法。
【発明の詳細な説明】
【技術分野】
【０００１】
本発明は、デジタル放送データ受信装置及び方法に関し、特に、無線ＬＡＮ（Wireless Local Area Network、以下、「ＷＬＡＮ」という）を用いてデジタル放送データを受信する受信装置及び方法並びに無線端末装置に関する。
【背景技術】
【０００２】
デジタル放送サービスの開始に伴い、地上波、ケーブル、衛星などで伝送されるデジタル放送及びアナログ放送のチャネル数は１００個以上に増加している。このような多数のチャネル放送を受信するためには、セットトップボックス（Set-Top-Box、以下、「ＳＴＢ」という）が必然的に必要である。
【０００３】
通常、ＳＴＢは、テレビ（television、以下、「ＴＶ」という）受信機と協働して利用される。ＳＴＢは、ネットワーク及び／又は衛星を介して伝送される、多チャネルの多様なＴＶ映像データ及び電子プログラム案内情報（Electronic Program Guide、以下、「ＥＰＧ」という）を受信し、ユーザに提供する。
【０００４】
従来、このようなＳＴＢは、ＴＶに連結して使用している。すなわち、上記のようにＳＴＢを介して受信される多チャネルの放送データは、ＴＶを介してのみ視聴することができた。
【０００５】
近年、通信技術の発達により、ディスプレイ機能及びスピーカ機能を有する無線端末機（例えば、携帯電話、個人携帯情報端末機（Personal Digital Assistant、以下、「ＰＤＡ」という）が大衆に普及されることに従って、前記無線端末機とＳＴＢをＷＬＡＮで連結し、前記無線端末機を介してデジタル放送データを受信したいという要望が生じている。
【０００６】
しかしながら、従来においては、ＳＴＢと無線端末機との間に、デジタル放送データ及びＥＰＧデータを伝送するためのインタフェースが形成されていない。例えば、ＳＴＢで処理するデジタル放送データの帯域幅と無線端末機が受信可能なデータの帯域幅とが互いに異なるため、ＳＴＢで受信したデジタル放送データを、無線端末機を介して受信することができなかった。
【発明の開示】
【発明が解決しようとする課題】
【０００７】
本発明は、前述のような問題点を解決するためになされたものであり、その目的は、ＷＬＡＮを用いてデジタル放送データを提供することのできるデジタル放送データ提供装置及び方法並びに無線端末装置を提供することにある。
【課題を解決するための手段】
【０００８】
前記目的を達成するために、本発明の一態様に係るデジタル放送データ提供装置は、多チャネルのデジタル放送データを受信し、デモジュレーション及びデコーディングして出力するデジタル放送処理部と、前記デジタル放送処理部からのデモジュレーションされたデジタル放送データを受信し、ＷＬＡＮを介して伝送可能な形態に変換して出力するトランスコーダ部と、前記トランスコーダ部で変換されたデジタル放送データを、ＷＬＡＮで連結した無線端末装置に伝送するＷＬＡＮ処理部と、を備えることを特徴とする。
【０００９】
また、本発明の他の態様に係る無線端末装置は、ユーザの要求に応答し、ＷＬＡＮを介して多チャネルのデジタル放送データを受信する多チャネル放送受信機に連結した後、前記多チャネル放送受信機にデジタル放送データを要求し、前記多チャネル放送受信機から前記デジタル放送データを受信するＷＬＡＮ処理部と、前記ＷＬＡＮ処理部を介して受信したデジタル放送データを、デモジュレーション及びデコーディングして出力するデジタル放送処理部と、を備えることを特徴とする。
【００１０】
また本発明のさらに他の態様に係るデジタル放送データ提供方法は、ＷＬＡＮを介して前記多チャネル放送受信機に連結された前記無線端末装置の要求に応答して、前記多チャネル放送受信機が前記無線端末装置との間にＷＬＡＮを用いたセッションを確立するステップと、前記無線端末装置からのデジタル放送データ要求に応答して、前記多チャネル放送受信機が受信したデジタル放送データをＷＬＡＮを介して伝送可能な形態に変換するステップと、前記変換されたデジタル放送データを、ＷＬＡＮを介して前記無線端末装置に伝送するステップと、を備えることを特徴とする。
【発明の効果】
【００１１】
本発明によれば、ＳＴＢで受信したデジタル放送データの帯域幅を変換して出力することによって、前記デジタル放送データを、ＷＬＡＮを介して伝送可能にすることができるという効果がある。これにより、ＳＴＢで受信したデジタル放送データを無線端末機を介して受信及び出力することにより、ユーザが便利にデジタル放送を視聴できるという効果がある。
【発明を実施するための最良の形態】
【００１２】
以下、添付図面を参照しながら、本発明の一実施形態による構成及び作用について詳細に説明する。図面において、同じ構成要素は、たとえ異なる図面に表示されていても、できるだけ同じ参照符号で表していることに着目されたい。また、本発明を説明するにあたって、公知機能又は構成に関する具体的な説明が本発明の要旨を不明瞭にすると判断される場合、その詳細な説明を省略する。
【００１３】
図１は、本発明の一実施形態に係るデジタル放送データ提供装置を示す概略ブロック図である。図１を参照すると、本発明の一実施形態に係るデジタル放送データ提供装置は、ＷＬＡＮを介して無線端末装置（例えば、ＰＤＡなど）にデジタル放送データを伝送するＳＴＢ１００と、前記ＳＴＢからデジタル放送データを受信して出力する無線端末装置（図１では、無線端末装置がＰＤＡである場合を例示する）２００とを含む。
【００１４】
ＳＴＢ１００は、ＤＴＶ（Digital ＴＶ）モジュール１１０、トランスコーダ（trans-coder）１２０、及びＷＬＡＮモジュール１３０を含む。
【００１５】
ＤＴＶモジュール１１０は、通常のデジタル放送データ処理部（デジタル放送処理部）としての機能を行う。例えば、ＤＴＶモジュール１００は、ネットワークあるいは衛星を介して伝送される多チャネルの多様なＴＶ映像データ及び電子プログラム案内情報（ＥＰＧ）を受信し、ＴＶに出力する動作を行う。
【００１６】
トランスコーダ１２０は、ＤＴＶモジュール１１０から伝送されたデジタル放送データを、ＷＬＡＮを介して伝送可能な形態（format）に変換する。例えば、トランスコーダ１２０は、ＤＴＶモジュール１１０から伝送される１９．４Ｍｂｐｓのデジタル放送データを圧縮する。具体的な例としては、例えば、８０２．１１ｂネットワークは、伝送可能なデータの帯域幅が１１Ｍｂｐｓであるから、前記デジタル放送データを８０２．１１ｂネットワークを介して伝送しようとする場合には、前記トランスコーダ１２０は、前記デジタル放送データの帯域幅を１１Ｍｂｐｓ以下に低減する。
【００１７】
ＷＬＡＮモジュール１３０は、ＰＤＡ２００からの制御命令（control data）に応答して、デジタル放送データをＷＬＡＮを介してＰＤＡ２００に伝送する。例えば、ＷＬＡＮモジュール１３０は、ＰＤＡ２００の放送要求命令に応答して、トランスコーダ１２０で変換されたデジタル放送データ（例えば、オーディオ／ビデオデータ、以下、「Ａ／Ｖデータ」という）をＷＬＡＮを介してＰＤＡ２００に伝送し、ＰＤＡ２００からのプログラム情報要求命令に応答して、電子プログラム案内情報（ＥＰＧ）をＷＬＡＮを介してＰＤＡ２００に伝送する。
【００１８】
一方、ＰＤＡ２００は、ＷＬＡＮモジュール２１０、及びＤＴＶモジュール２２０を含む。
【００１９】
ＷＬＡＮモジュール２１０は、ＷＬＡＮを介してＳＴＢ１００のＷＬＡＮモジュール１３０に連結され、ＳＴＢ１００のＷＬＡＮモジュール１３０に制御命令（例えば、サービス要求命令など）を伝送し、ＳＴＢ１００のＷＬＡＮモジュール１３０からデジタル放送データ（例えば、Ａ／Ｖデータ）を受信し、受信したデジタル放送データをＤＴＶモジュール２２０に伝送する。
【００２０】
ＤＴＶモジュール２２０は、通常のデジタル放送データ処理を行う。すなわち、ＤＴＶモジュール２２０は、ＷＬＡＮモジュール２１０を介して受信されたデジタル放送データ及び／又はＥＰＧデータをＰＤＡ２００にディスプレイするための処理を行う。
【００２１】
図２は、本発明の一実施形態に係る多チャネル放送受信機を示す概略ブロック図である。すなわち、図１に示すＳＴＢ１００の概略ブロック図である。
【００２２】
図２を参照すると、ＳＴＢ１００は、ＤＴＶモジュール１１０、トランスコーダ１２０、ＷＬＡＮモジュール１３０、電力供給部（power supply）１４０及びディスプレイ（display）部１５０を含む。ＤＴＶモジュール１１０、トランスコーダ１２０及びＷＬＡＮモジュール１３０の基本的な動作は、図１を参照しながら説明した通りである。
【００２３】
ＤＴＶモジュール１１０は、前述したようなデジタル放送データの処理のために、メモリ（memory）１１１、インタフェース部、メインプロセッサーユニット（Main Process Unit、以下、ＭＰＵという）１１６、複数のチューナー及び復調部としての第１のチューナー及び復調部１１７、第２のチューナー及び復調部１１８、ＭＰＥＧ２−デコーダ（Moving Picture Experts Group 2-decoder）１１９を含む。前記インタフェース部は、例えば、ＬＥＤ（Light Emitting Diode）ポート１１２、シリアルポート１１３、イーサネット（登録商標）（Ethernet（登録商標））モジュール１１４、遠隔制御モジュールとしてのリモコンモジュール１１５などを含む。
【００２４】
メモリ１１１は、システムメモリであって、システム動作やアプリケーションなどのプログラムを格納する。
【００２５】
ＬＥＤポート１１２は、ＳＴＢ１００の動作状態を外部に出力する。シリアルポート１１３は、ＳＴＢ１００の動作状態や環境を設定するための情報が入力される。イーサネットモジュール１１４は、イーサネットポートとして、外部網に連動し得るポートや、他の内部装置（例えば、パーソナルコンピュータなど）と連動し得るポートなどを含む。リモコンモジュール１１５は、リモコンの動作時に、このポートを介して信号を受信し、ＭＰＵ１１６に伝送する機能を有する。
【００２６】
ＭＰＵ１１６は、メモリ１１１に格納されたプログラム情報に従ってＳＴＢ１００の全体動作を制御する。例えば、ＭＰＵ１１６は、予め格納されたＥＰＧ再加工プログラムに従って、デジタル放送サービスプロバイダから受信したＥＰＧデータを、小さいディスプレイ領域を有する無線端末装置（例えば、ＰＤＡ）を通じてディスプレイすることが可能な形態に再加工するように動作を制御する。また、ＭＰＵ１１６は、予め格納された帯域幅調節プログラムに従って、デジタル放送データをＷＬＡＮを介して伝送することが可能なように、デジタル放送データの帯域幅を調節するようにトランスコーダ１２０の動作を制御する。
【００２７】
第１のチューナー及び復調部１１７、第２のチューナー及び復調部１１８の各々は、デジタル放送データを受信し、このデジタル放送データを復調（デモジュレーション）して、ＭＰＥＧ２−ＴＳ（Trans Stream）形態で出力する。本実施形態のＳＴＢ１００は、図２に示すように、複数のチューナー及び復調部を含むことによって、一以上のチャネルを通じて多様なデジタル放送データを受信して処理することができる。図２の例では、２つのチューナー及び復調部１１７，１１８を示しているが、チューナー及び復調部の数を２つに限定するものではない。即ち、チューナー及び復調部の数は、ＷＬＡＮの伝送帯域幅やデジタル放送データの圧縮状態に基づいて決定することができる。例えば、１９．４Ｍｂｐｓの帯域幅を有するデジタル放送データを３Ｍｂｐｓに圧縮すれば、１１Ｍｂｐｓの伝送帯域幅を有するＷＬＡＮを介して同時に３つのチャネルを伝送することができる。したがって、この場合には、ＳＴＢ１００が３つのチューナー及び復調部を含むように構成することが好ましい。
【００２８】
ＭＰＥＧ２−デコーダ１１９は、複数のチューナー及び復調部１１７，１１８から出力されるＭＰＥＧ２−ＴＳ形態のデジタル放送データをデコーディングして出力する。
【００２９】
ディスプレイ部１５０は、ＭＰＥＧ２−デコーダ１１９から出力されるデコーディングされた信号を受信し、ＳＴＢ１００に連結された外部ディスプレイ装置（例えば、ＴＶなど）を介してディスプレイする。
【００３０】
電力供給部１４０は、ＳＴＢ１００に必要な電力を供給する。例えば、電力供給部１４０は、ＳＴＢ１００を構成する全ての構成要素に電力を供給する。
【００３１】
トランスコーダ１２０は、ＭＰＵ１１６の制御を受け、その帯域幅が低減するようにデジタル放送データを圧縮する。例えば、トランスコーダ１２０は、複数のチューナー及び復調部１１７，１１８から出力されるＭＰＥＧ２−ＴＳ形態のデジタル放送データを、ＭＰＥＧ４形態のデジタル放送データに変換することにより、デジタル放送データの帯域幅を低減する。トランスコーダ１２０は、複数のＰＤＡに適応するために、複数個のトランスコーダで構成することができる。すなわち、ＳＴＢ１００が複数のＰＤＡにデジタル放送データを伝送可能なようにするために、ＳＴＢ１００が２つ以上のトランスコーダを含むように構成することができる。
【００３２】
ＷＬＡＮモジュール１３０は、トランスコーダ１２０またはＭＰＵ１１６から伝送される信号を、ＷＬＡＮを介してＰＤＡに伝送したり、また、ＷＬＡＮを介してＰＤＡからの信号を受信する。例えば、ＷＬＡＮモジュール１３０は、トランスコーダ１２０から伝送されるＭＰＥＧ４形態のデジタル放送データ及びＭＰＵ１１６から伝送されるＥＰＧデータを、ＷＬＡＮを介して伝送する。このとき、ＭＰＵ１１６から伝送されるＥＰＧデータは、デジタル放送プロバイダから受信された形態でなく、ＷＬＡＮを介して伝送するために再構成した形態である。ＷＬＡＮモジュール１３０は、ＩＰ（Internet Protocol）階層上にＭＰＥＧ４ストリームを載せ、ＲＴＰ（real-time transport protocol）を使用して伝送する。
【００３３】
以下、前述のような構成を有する本実施形態のＳＴＢ１００の動作を説明する。
【００３４】
まず、複数のチューナー及び復調部１１７，１１８は、デジタル放送プロバイダがブロードキャスティングしたデジタル放送データを受信して復調する。例えば、複数のチューナー及び復調部１１７，１１８は、前記デジタル放送データを高周波（ＲＦ：Radio Frequency）から８ＶＳＢ（Vestigial Side Band）（例えば、ＡＴＳＣ）に復調してＭＰＥＧ２−信号を生成する。
【００３５】
前記複数のチューナー及び復調部１１７，１１８から出力されるＭＰＥＧ２−信号は、ＭＰＥＧ−デコーダ１１９またはトランスコーダ１２０に入力される。このとき、ＭＰＥＧ２−信号の伝送経路は、デジタル放送信号をディスプレイする装置によって異なるように決定される。
【００３６】
例えば、デジタル放送信号をＴＶでディスプレイしようとする場合、すなわち、デジタル放送要求信号がリモコンモジュール１１５を介して入力された場合、前記複数のチューナー及び復調部１１７，１１８から出力されるＭＰＥＧ２−信号は、ＭＰＥＧ２−デコーダ１１９に入力される。言い換えると、デジタル放送信号をＰＤＡでディスプレイしようとする場合、すなわち、デジタル放送要求信号がＷＬＡＮモジュール１３０を介して入力された場合、前記複数のチューナー及び復調部１１７，１１８から出力されるＭＰＥＧ２−信号は、トランスコーダ１２０に入力される。
【００３７】
ＭＰＥＧ２−デコーダ１１９に入力されるＭＰＥＧ２−信号は、ＴＶで出力することができる形態にデコーディングされる。このために、ＭＰＥＧ２−デコーダ１１９は、リモコンモジュール１１５を介してデジタル放送要求信号が入力されると、チューナー及び復調部１１７，１１８から出力されるＭＰＥＧ２形態のデジタル放送データをデコーディングした後、ディスプレイ部１５０に伝送し、これによりＴＶを介してディスプレイされるようにする。このとき、ＭＰＥＧ２−デコーダ１１９は、到着する放送ストリーム（stream）をパーシング（parsing）し、ＡＴＳＣ（Advanced Television System Committee）方式に適合するビデオデータ、オーディオデータ、及びシステムデータに分離する。ＭＰＥＧ２−デコーダ１１９は、ビデオデータはＭＰＥＧ２にデコーディングし、オーディオデータはＡＣ−３（Audio Coding-3）にデコーディングする。
【００３８】
他方、トランスコーダ１２０に入力されるＭＰＥＧ２−信号は、ＰＤＡを介して出力することができる形態に変換される。そのために、トランスコーダ１２０は、入力されるビデオストリームをＭＰＥＧ２形態からＭＰＥＧ４（またはＨ．２６４）形態に変換し、入力されるオーディオストリームをＡＣ−３形態からＭＰＥＧ４形態に変換した後、ＷＬＡＮモジュール１３０に伝送する。このように変換すれば、１９．４Ｍｂｐｓのストリームであるデジタル放送データは、数Ｍｂｐｓ程度に減少し、これによりＷＬＡＮを介して伝送可能な形態になる。
【００３９】
従って、ＷＬＡＮモジュール１３０は、トランスコーダ１２０から伝送されるデジタル放送データを、ＷＬＡＮを介してＰＤＡに伝送することが可能になる。
【００４０】
一方、ＰＤＡが、このようなデジタル放送データ以外に、付加情報（例えば、ＥＰＧデータなど）を要求すると、ＳＴＢ１００のＭＰＵ１１６は、ＭＰＥＧ２−デコーダ１１９に予め格納されたサービス情報（Service Information：ＳＩ）テーブルからＥＰＧ情報を読み出し、このＥＰＧ情報をＰＤＡに適合する新しい形式に再構成し、ＷＬＡＮモジュール１３０に伝送する。例えば、ＭＰＵ１１６は、ディスプレイ領域が小さいというＰＤＡの特性に適合するように、多様なＥＰＧ情報の中から必要なＥＰＧ情報だけを取り出して再構成し、再構成したＥＰＧデータをＷＬＡＮモジュール１３０に伝送する。
【００４１】
図３は、本発明の一実施形態に係る個人携帯情報端末機（ＰＤＡ）を示す概略ブロック図である。すなわち、図３は、図１に示すＰＤＡ２００の概略ブロック図である。
【００４２】
図３を参照すると、ＰＤＡ２００は、デジタル放送データを受信し復調するためのチューナー及び復調部と、ＭＰＥＧ２−ＴＳ形態の放送ストリームに含まれるＳＩ情報をパーシングするためのモジュールは含まず、ＭＰＥＧ−４デコーダ２２７と、ディスプレイ部２４０と、インタフェースモジュール２２２〜２２５とを含む。
【００４３】
さらに、ＰＤＡ２００は、ＷＬＡＮモジュール２１０、ＤＴＶモジュール２２０、電力供給部２３０及びディスプレイ部２４０を含む。ＷＬＡＮモジュール２１０及びＤＴＶモジュール２２０の基本的な動作は、図１を参照しながら説明した通りである。
【００４４】
ＷＬＡＮモジュール２１０は、ＷＬＡＮを介してＳＴＢ１００のＷＬＡＮモジュール１３０に連結され、ＳＴＢ１００のＷＬＡＮモジュール１３０（図１及び図２を参照）に制御命令（例えば、サービス要求命令など）を伝送し、ＳＴＢ１００のＷＬＡＮモジュール１３０からデジタル放送データ（例えば、Ａ／Ｖデータ）を受信し、受信したデジタル放送データをＤＴＶモジュール２２０に伝送する。
【００４５】
ＤＴＶモジュール２２０は、ＷＬＡＮモジュール２１０を介して受信するデジタル放送データをディスプレイするための装置であって、メモリ２２１、インタフェース部、メインプロセッサー（Main Process Unit、以下、ＭＰＵという）２２６、及びＭＰＥＧ４−デコーダ２２７を含む。前記インタフェース部は、例えば、ＬＥＤ（Light Emitting Diode）ポート２２２、シリアルポート２２３、イーサネットモジュール２２４、リモコンモジュール２２５などを含む。
【００４６】
メモリ２２１は、システムメモリであって、ＰＤＡ２００の動作を管理するためのシステム動作やアプリケーションなどのプログラムを格納する。
【００４７】
ＬＥＤポート２２２は、ＰＤＡ２００の動作状態を外部に出力する。シリアルポート２２３は、ＰＤＡ２００の動作状態や環境を設定するための情報が入力される。イーサネットモジュール２２４は、イーサネットポートとして、外部網に連動し得るポートや、他の内部装置（例えば、パーソナルコンピュータなど）と連動し得るポートなどを含む。リモコンモジュール２２５は、リモコンの動作時に、このポートを介して信号を受信し、ＭＰＵ２２６に伝送する機能を有する。
【００４８】
ＭＰＵ２２６は、メモリ２２１に格納されたプログラム情報に従ってＰＤＡ２００の全体動作を制御する。例えば、ＭＰＵ２２６は、ＷＬＡＮモジュール２１０を介して受信したデジタル放送データを、ディスプレイ部２４０を介して出力するように、ＰＤＡ２００の全体動作を制御する。
【００４９】
ＭＰＥＧ４デコーダ２２７は、ＷＬＡＮモジュール２１０を介してＳＴＢ１００から受信するＭＰＥＧ４形態のデジタル放送データをデコーディングする。
【００５０】
ディスプレイ部２４０は、ＭＰＥＧ４デコーダ２２７から出力されるデコーディングされた信号を受信し、ＰＤＡ２００のディスプレイ装置（例えば、ＬＣＤなど）を介してディスプレイされるように制御する。
【００５１】
電力供給部２３０は、ＰＤＡ２００に必要な電力を供給する。例えば、電力供給部２３０は、ＰＤＡ２００を構成する全ての構成要素に電力を供給する。
【００５２】
以下、前述のような構成を有する本実施形態のＰＤＡ２００の動作を説明する。
【００５３】
まず、ＷＬＡＮモジュール２１０を介してＥＰＧデータまたはＭＰＥＧ４形態のデジタル放送データが受信されると、ＭＰＵ２２６は、該データをＭＰＥＧ４デコーダ２２７に伝送し、ＭＰＥＧ４デコーダ２２７は、該データ（例えばデジタル放送データ及びＥＰＧデータ）をデコーディングして、ディスプレイ部２４０に伝送する。
【００５４】
特に、ＷＬＡＮモジュール２１０を介して受信されたデータがＭＰＥＧ４デジタル放送データである場合には、ＭＰＵ２２６は、ＭＰＥＧ４形態のデジタル放送データの前方部のヘッダーを除去し、ＭＰＥＧ４デコーダ２２７に伝送する。さらに、ＭＰＥＧ４デコーダ２２７は、前記ＭＰＥＧ４形態のデジタル放送データをデコーディングし、ディスプレイ部２４０に伝送する。
【００５５】
図４は、本発明の一実施形態に係るデジタル放送データの提供過程を示す工程図である。特に、図４は、図１〜図３に示したデジタル放送データ提供装置を用いてデジタル放送データを提供する過程を例示している。図４を参照すると、本発明の一実施形態に係るデジタル放送データ提供過程は、次の通りである。
【００５６】
まず、ＰＤＡ２００が、ＳＴＢ１００からデジタル放送データを受信するために、ＷＬＡＮを介してＳＴＢ１００にセッション要求メッセージ（session request message）を伝送する（ステップＳ１１０）、これに応答することによって、ＳＴＢ１００とＰＤＡ２００との間にセッション（session）が確立される（ステップＳ１２０）。このとき、前記セッション要求過程（ステップＳ１１０）及びこれに応答するセッション確立過程（ステップＳ１２０）は、ＷＬＡＮにおいて任意の装置間でデータ交換をするために通常実行される処理過程を利用することが好ましい。
【００５７】
但し、そのために、ＳＴＢ１００及びＰＤＡ２００の各々は、ＷＬＡＮ処理モジュールを含まなければならない。
【００５８】
前記ステップＳ１２０により、ＳＴＢ１００とＰＤＡ２００との間にセッションが確立した後、ＰＤＡ２００がＳＴＢ１００にサービス要求メッセージを伝送すると（ステップＳ１３０）、ＳＴＢ１００は、サービス要求メッセージを分析してサービスの種類を確認し（ステップＳ１４０）、該当サービス（例えば、デジタル放送サービス、ＳＴＢ状態情報提供サービス、ＥＰＧデータ提供サービスなど）を提供する（ステップＳ１５０）。
【００５９】
ＳＴＢ１００は、前記ステップＳ１２０で確立されたセッションについての終了条件を満足するか否かを判定し（ステップＳ１６０）、セッション終了条件を満足すると判定すれば（例えば、ＰＤＡ２００がＳＴＢ１００に前記確立されたセッションを終了することを要求すれば）、ＰＤＡ２００との間に確立したセッションを終了する（ステップＳ１７０）。
【００６０】
図５〜図８は、前記図４のステップＳ１３０において、ＰＤＡ２００がＳＴＢ１００に要求したサービスの種類に従うＳＴＢ１００の処理過程をそれぞれ例示している。
【００６１】
図５は、本発明の一実施形態に係る、多チャネル放送受信機（ＳＴＢ）が個人携帯情報端末機（ＰＤＡ）からの放送データ要求に応答し、対応するサービスを提供する処理過程を示す工程図である。すなわち、図５は、前記図４のステップＳ１３０において、ＰＤＡ２００がデジタル放送サービスを要求した際の、それに応答するＳＴＢ１００の処理過程を例示している。
【００６２】
図５を参照すると、ＰＤＡ２００からのデジタル放送サービス要求メッセージを受信したＳＴＢ１００は、ＳＴＢ１００に許可されたデータ転送チャネルの中に空チャネルが存在するか否かを確認する（ステップＳ２１０）。すなわち、ＳＴＢ１００とＰＤＡ２００とを連結したＷＬＡＮの全体伝送帯域幅に残余（未使用）帯域幅が存在するか否かを確認し、さらに、現在使用されていないチューナー及び復調部とデコーダがあるか否かを確認する。例えば、ＳＴＢ１００とＰＤＡ２００とが８０２．１１ｂネットワークを介して連結されている場合、ＳＴＢ１００は、８０２．１１ｂネットワークに割り当てられた１１Ｍｂｐｓの伝送帯域幅の中に残余帯域幅が存在するか否かを確認する。
【００６３】
前記ステップＳ２１０における確認の結果、空チャネルが存在すれば、ＳＴＢ１００は、該チャネルを放送チャネルに割り当てる（ステップＳ２２０）。そして、ＳＴＢ１００は、ＰＤＡ２００が要求したデジタル放送データを受信した後、このデジタル放送データをＭＰＥＧ２形態のデジタル放送データにパーシングする（ステップＳ２３０）。そして、ＳＴＢ１００は、前記パーシングしたＭＰＥＧ２形態のデジタル放送データをＭＰＥＧ４形態のデジタル放送データにデコーディングした後（すなわち、トランスコーディングした後）（ステップＳ２４０）、ＩＰカプセル化（capsulation）し（ステップＳ２５０）、ＷＬＡＮを介して伝送する（ステップＳ２６０）。
【００６４】
一方、前記ステップＳ２１０における確認の結果、空チャネルが存在しなければ、ＳＴＢ１００は、エラーメッセージを生成し（ステップＳ２７０）、ＰＤＡ２００に伝送する。
【００６５】
図６は、本発明の一実施形態に係る、多チャネル放送受信機（ＳＴＢ）が個人携帯情報端末機（ＰＤＡ）の状態情報要求に応答し、対応するサービスを提供する処理過程を示す工程図である。すなわち、図６は、前記図４のステップＳ１３０において、ＰＤＡ２００がＳＴＢ２００の状態情報を要求した際の、それに応答するＳＴＢ１００の処理過程を例示している。
【００６６】
図６を参照すると、ＰＤＡ２００からのＳＴＢ１００の状態情報要求メッセージを受信したＳＴＢ１００は、ＳＴＢ１００の情報（例えば、動作状態など）を収集し（Ｓ３１０）、この収集した情報をＩＰカプセル化した後（ステップＳ３２０）、ＷＬＡＮを介してＰＤＡ２００に伝送する（ステップＳ３３０）。
【００６７】
図７は、本発明の一実施形態に係る、多チャネル放送受信機（ＳＴＢ）が個人携帯情報端末機（ＰＤＡ）のＥＰＧ要求に応答し、対応するサービスを提供する処理過程を示す図である。すなわち、図７は、前記図４のステップＳ１３０において、ＰＤＡ２００がＥＰＧデータを要求した際の、それに応答するＳＴＢ１００の処理過程を例示している。
【００６８】
図７を参照すると、ＰＤＡ２００からのＥＰＧデータ要求メッセージを受信したＳＴＢ１００は、ＰＤＡ２００との間に、ＥＰＧデータ伝送のための別途のチャネルを生成する（ステップＳ４１０）。この別途のチャネルとは、放送データの伝送チャネルとは異なるチャネルを言うもので、他のポートを介して伝送することを意味する。
【００６９】
そして、ＳＴＢ１００は、ＥＰＧデータをパーシングしてＭＰＥＧ２形態に変換した後（ステップＳ４２０）、この変換されたＥＰＧデータをＰＤＡ２００でディスプレイ可能な形態に再構成する（ステップＳ４３０）。そして、ＳＴＢ１００は、前記再構成したＥＰＧデータをＩＰカプセル化し（ステップＳ４４０）、ＷＬＡＮを介してＰＤＡ２００に伝送する（ステップＳ４５０）。
【００７０】
図８は、本発明の一実施形態に係る、多チャネル放送受信機（ＳＴＢ）が個人携帯情報端末機（ＰＤＡ）のセッション終了要求に応答し、対応するサービスを提供する処理過程を示す工程図である。すなわち、図８は、前記図４のステップＳ１３０において、ＰＤＡ２００がセッション終了を要求した際の、それに応答するＳＴＢ１００の処理過程を例示している。
【００７１】
図８を参照すると、ＰＤＡ２００からのセッション終了要求メッセージを受信したＳＴＢ１００は、ＭＰＥＧ４形態のデジタル放送データについてのデコーディングを中止し（ステップＳ５１０）、該データの伝送のために設定されたチャネルを解除した後（ステップＳ５２０）、ＰＤＡ２００との間に確立したセッションを終了する（ステップＳ５３０）。
【００７２】
以上のように、本発明の詳細な説明では、ＳＴＢで受信したデジタル放送データをＰＤＡを介して提供する装置及び方法に関する具体的な実施形態について説明した。しかしながら、本発明は、その技術的思想を逸脱しない範囲内で、様々な置換、変形及び変更が可能である。例えば、前記詳細な説明では、ＳＴＢで受信したデジタル放送データをＰＤＡを介して提供する装置及び方法に関する例を説明したが、前記ＳＴＢからデジタル放送データを受信する装置は、ＰＤＡに限定されるものではない。すなわち、前記ＳＴＢからデジタル放送データを受信する装置は、ＷＬＡＮを介してＳＴＢに連結可能であり、ビデオ及びオーディオデータを処理できる全ての無線端末装置も適用可能である。したがって、本発明の範囲は、上述した実施形態及び添付図面に限定されるものではなく、特許請求範囲と本発明の技術的思想により限定されるであろう。
【図面の簡単な説明】
【００７３】
【図１】本発明の一実施形態に係るデジタル放送データ提供装置を示す概略ブロック図である。
【図２】本発明の一実施形態に係る多チャネル放送受信機を示す概略ブロック図である。
【図３】本発明の一実施形態に係る個人携帯情報端末機を示す概略ブロック図である。
【図４】本発明の一実施形態に係るデジタル放送データ提供過程を示す工程図である。
【図５】本発明の一実施形態に係る多チャネル放送受信機が、個人携帯情報端末機の放送データ要求に応答し、対応するサービスを提供するための処理過程を示す工程図である。
【図６】本発明の一実施形態に係る多チャネル放送受信機が、個人携帯情報端末機の状態情報要求に応答し、対応するサービスを提供するための処理過程を示す工程図である。
【図７】本発明の一実施形態に係る多チャネル放送受信機が、個人携帯情報端末機のＥＰＧ要求に応答し、対応するサービスを提供するための処理過程を示す工程図である。
【図８】本発明の一実施形態に係る多チャネル放送受信機が、個人携帯情報端末機のセッション終了要求に応答し、対応するサービスを提供するための処理過程を示す工程図である。
【符号の説明】
【００７４】
１００  ＳＴＢ
１１０  ＤＴＶモジュール
１２０  トランスコーダ
１３０  ＷＬＡＮモジュール
２００  ＰＤＡ
２１０  ＷＬＡＮモジュール
２２０  ＤＴＶモジュール
【図１】
2006135987.tif 000003
【図２】
2006135987.tif 000004
【図３】
2006135987.tif 000005
【図４】
2006135987.tif 000006
【図５】
2006135987.tif 000007
【図６】
2006135987.tif 000008
【図７】
2006135987.tif 000009
【図８】
2006135987.tif 000010